(57)【特許請求の範囲】
【請求項１】
原稿に記載された画像を読み取る読取手段と、
前記読取手段により読み取られた読取データに基づく表示画像を表示する表示部を有し、前記表示部における前記表示画像を同じ回転角度で回転させながらユーザの操作により前記表示部を回転させることが可能な表示手段と、
前記表示部の回転角度を検出する検出手段と、
前記検出手段により検出された回転角度に応じて読取データを前記表示部の回転の向きと同一の向きに回転させた場合と同一の状態となるように読取データを加工する第１加工手段と
を備えることを特徴とする画像読取装置。
【請求項２】
前記読取手段は、前記第１加工手段による加工処理に読取データを用いるために所定の解像度で前記画像を読み取る詳細読取モード、及び前記詳細読取モード時の解像度より低い解像度で前記画像を読み取る簡易読取モードを有し、
前記表示手段は、前記簡易読取モードにて読み取られた読取データを前記表示部に表示することを特徴とする請求項１に記載の画像読取装置。
【請求項３】
前記読取手段に原稿を自動搬送する搬送手段を備え、
前記表示手段は、前記第１加工手段による加工処理に読取データを用いるために所定の解像度で前記画像を読み取る詳細読取モードにて読み取られた読取データを用いて表示を行うことを特徴とする請求項１に記載の画像読取装置。
【請求項４】
前記表示部の回転角度が所定角度となったときに、前記表示部の回転が一時停止するように前記表示部の回転を調整する調整部を備えることを特徴とする請求項１ないし３のいずれか１つに記載の画像読取装置。
【請求項５】
前記所定角度とは、９０度の整数倍の角度であることを特徴とする請求項４に記載の画像読取装置。
【請求項６】
前記検出手段により検出された前記表示部の回転角度を、読取データに対して適用するか否かを選択する選択手段と、
前記選択手段により適用することを選択された回転角度を記憶する記憶手段と、
前記記憶手段に記憶されている回転角度に応じて読取データを回転させる第２加工手段と
を備えることを特徴とする請求項１ないし５のいずれか１つに記載の画像読取装置。
【請求項７】
所定種類の原稿についての読取データに含まれる画像の並びの方向が、その所定種類の原稿について予め設定されている並びの方向となるように、読取データを矯正回転させる矯正手段を備えることを特徴とする請求項１ないし６のいずれか１つに記載の画像読取装置。
【請求項８】
前記表示手段は、前記第２加工手段によって回転された読取データを前記表示部に表示することを特徴とする請求項６に記載の画像読取装置。
【請求項９】
原稿に記載された画像を読み取る読取手段と、
前記読取手段により読み取られた読取データに基づく表示画像を表示する表示部を有し、前記表示部における前記表示画像を同じ回転角度で回転させながらユーザの操作により前記表示部を回転させることが可能な表示手段と、
前記表示部の回転角度を検出する検出手段と、
前記検出手段により検出された回転角度に応じて読取データを前記表示部の回転の向きと同一の向きに回転させた場合と同一の状態となるように読取データを加工する加工手段と、
前記加工手段にて加工されたデータに基づく画像を印刷する印刷手段と
を備えることを特徴とする画像形成装置。
【請求項１０】
画像データに基づく表示画像を表示する表示部を有し、前記表示部における前記表示画像を同じ回転角度で回転させながらユーザの操作により前記表示部を回転させることが可能な表示手段と、
前記表示部の回転角度を検出する検出手段と、
前記検出手段により検出された回転角度に応じて画像データを前記表示部の回転の向きと同一の向きに回転させた場合と同一の状態となるように画像データを加工する加工手段と
を備えることを特徴とする表示装置。
【発明の詳細な説明】
【技術分野】
【０００１】
本発明は、画像読取装置、及び画像読取機能を有し、その読み取った読取データを印刷することができる画像形成装置に関するものである。
【背景技術】
【０００２】
画像を読み取る際に、原稿の向きを変えることなく読取画像の向きを変えるべく、例えば、特許文献１に記載の発明では、原稿をプレスキャンしてプレビュー画像を表示するとともに、プレビュー画像が表示されているときに、プレビュー画像を表示部内で回転させるための回転ボタンをユーザが操作した場合には、本スキャンされた読取画像を回転ボタンの操作量に対応する回転角度に基づいて回転させて出力している。
【特許文献１】特開２００１−４５２３９号公報
【発明の開示】
【発明が解決しようとする課題】
【０００３】
しかし、特許文献１に記載の発明では、回転ボタンを押下することにより読取画像を回転させるので、ユーザが直感的に回転させ難いという問題がある。
本発明は、上記点に鑑み、ユーザが読取画像を直感的に回転させ易くすることを目的とする。
【課題を解決するための手段】
【０００４】
本発明は、上記目的を達成するために、請求項１に記載の発明では、原稿に記載された画像を読み取る読取手段と、読取手段により読み取られた読取データに基づく表示画像を表示する表示部を有し、表示部における表示画像を同じ回転角度で回転させながらユーザの操作により表示部を回転させることが可能な表示手段と、表示部の回転角度を検出する検出手段と、検出手段により検出された回転角度に応じて読取データを表示部の回転の向きと同一の向きに回転させた場合と同一の状態となるように読取データを加工する第１加工手段とを備えることを特徴とする。
【０００５】
これにより、請求項１に記載の発明では、読取データを表示する表示部をユーザが回転させることにより、読取データを回転させることができるので、ユーザが読取データを直感的に回転させることができる。
【０００６】
請求項２に記載の発明では、読取手段は、第１加工手段による加工処理に読取データを用いるために所定の解像度で画像を読み取る詳細読取モード、及び詳細読取モード時の解像度より低い解像度で画像を読み取る簡易読取モードを有し、表示手段は、簡易読取モードにて読み取られた読取データを表示部に表示することを特徴とする。
【０００７】
これにより、請求項２に記載の発明では、簡易読取モードにて読み取られた読取データを用いて表示部に読取データを表示するので、詳細読取モードにて読み取られた読取データを表示させる場合に比べて、読取データを表示させるに要する時間を短縮することができる。
【０００８】
ところで、原稿の読取形態としては、周知のごとく、ＡＤＦ（オートドキュメントフィーダ）等の読取部に原稿を自動搬送する搬送手段にて読み取りを行う形態と、フラットベッド方式のようにプラテン上に原稿を静止載置した状態で読み取りを行う形態とがある。
【０００９】
このとき、フラットベッド方式では、繰り返して読取動作を実行しても、読取部に対する原稿の相対位置は変わらないのに対して、ＡＤＦを用いた読取形態では、読取部に対する原稿の相対位置が読取動作を実行する度に相違する可能性が非常に高い。
【００１０】
したがって、簡易読取モードで読み取られて表示された読取データに基づいて、読取データを回転させる際の回転角度を決定しても、次回、詳細読取モードで原稿読取を実行する際に、読取部に対する原稿の相対位置が簡易読取モードにて原稿読取を実行したときと相違してしまうので、読取データをユーザが意図した位置に回転させることができないおそれが高い。
【００１１】
これに対して、請求項３に記載の発明では、読取手段に原稿を自動搬送する搬送手段を備え、表示手段は、第１加工手段による加工処理に読取データを用いるために所定の解像度で画像を読み取る詳細読取モードにて読み取られた読取データを用いて表示を行うことを特徴としている。
【００１２】
これにより、請求項３に記載の発明では、読取データを確実にユーザが意図した位置に回転させることができる。
請求項４に記載の発明では、表示部の回転角度が所定角度となったときに、表示部の回転が一時停止するように表示部の回転を調整する調整部を備えることを特徴とする。
【００１３】
これにより、請求項４に記載の発明では、表示部を回転させる際に、表示部を所定の回転角度で容易に停止させることができるので、表示部を回転させる際の操作性を向上させることができる。
【００１４】
なお、所定角度とは、請求項５に記載の発明のごとく、９０度の整数倍（０も含む。）の角度とすることが望ましい。
請求項６に記載の発明では、検出手段により検出された表示部の回転角度を、読取データに対して適用するか否かを選択する選択手段と、選択手段により適用することを選択された回転角度を記憶する記憶手段と、記憶手段に記憶されている回転角度に応じて読取データを回転させる第２加工手段とを備えることを特徴とする。
【００１５】
これにより、請求項６に記載の発明では、例えば初回の回転角度を、次回以降の原稿に対して適用することができるので、原稿読取を実行する度に表示部を回転させる必要がなく、画像読取装置の利便性を向上させることができる。
【００１６】
請求項７に記載の発明では、所定種類の原稿についての読取データに含まれる画像の並びの方向が、その所定種類の原稿について予め設定されている並びの方向となるように、読取データを矯正回転させる矯正手段を備えることを特徴とする。
【００１７】
これにより、請求項７に記載の発明では、所定種類の原稿についての画像の並びの方向が予め設定されている場合には、原稿読取を実行する度に表示部を回転させることなく、その設定されている並びの方向に矯正回転されるので、画像読取装置の利便性を向上させることができる。
【００１８】
請求項８に記載の発明では、表示手段は、第２加工手段によって回転された読取データを表示部に表示することを特徴とする。
これにより、請求項８に記載の発明では、第２加工手段によって回転された読取データをユーザが視認することができる。
【００１９】
請求項９に記載の発明では、原稿に記載された画像を読み取る読取手段と、読取手段により読み取られた読取データに基づく表示画像を表示する表示部を有し、表示部における表示画像を同じ回転角度で回転させながらユーザの操作により表示部を回転させることが可能な表示手段と、表示部の回転角度を検出する検出手段と、検出手段により検出された回転角度に応じて読取データを表示部の回転の向きと同一の向きに回転させた場合と同一の状態となるように読取データを加工する加工手段と、加工手段にて加工されたデータに基づく画像を印刷する印刷手段とを備えることを特徴とする。
【００２０】
これにより、請求項９に記載の発明では、請求項１に記載の発明と同様に、読取データを表示する表示部をユーザが回転させることにより、読取データを回転させることができるので、ユーザが読取データを直感的に回転させることができる。
【００２１】
請求項１０に記載の発明では、画像データに基づく表示画像を表示する表示部を有し、表示部における表示画像を同じ回転角度で回転させながらユーザの操作により表示部を回転させることが可能な表示手段と、表示部の回転角度を検出する検出手段と、検出手段により検出された回転角度に応じて画像データを表示部の回転の向きと同一の向きに回転させた場合と同一の状態となるように画像データを加工する加工手段とを備えることを特徴とするものである。
【００２２】
これにより、請求項１０に記載の発明では、請求項１に記載の発明と同様に、読取データを表示する表示部をユーザが回転させることにより、読取データを回転させることができるので、ユーザが読取データを直感的に回転させることができる。
【発明を実施するための最良の形態】
【００２３】
本実施形態は、本発明に係る発明をスキャナ機能とプリンタ機能とを備える画像形成装置に適用したものであり、以下に本発明の実施形態を図面と共に説明する。
（第１実施形態）
１．図面の説明
図１は本実施形態に係る画像形成装置１の構成を示すブロック図であり、図２は画像読取部１０の構造を示す断面図であり、図３は表示部４１を示す図であり、図４は調整部４４の構造を示す分解斜視図であり、図５は表示部４１の回転角度を検出する角度検出器４３の概念図であり、図６は読取データの加工処理を示すフローチャートであり、図７は加工処理による処理結果を示す図である。
【００２４】
２．画像形成装置の概略構成
本実施形態に係る画像形成装置１は、スキャナ機能とプリンタ機能とを備えるもので、具体的には、図１に示すように、原稿に記載された画像（文字も含む。）を読み取る画像読取部１０、及び記録用紙等の記録シート（以下、用紙という。）に画像を形成する画像形成部２０を有している。
【００２５】
そして、画像読取部１０は、図２に示すように、原稿が水平なプラテン１１上に載置された状態で読み取りが実行されるフラットベッド読取部１２、及び自動搬送読取部１３に原稿を自動搬送するＡＤＦ（オートドキュメントフィーダ）１４を有する自動読取部１５等から構成されたものである。
【００２６】
なお、画像撮像素子１６は、フラットベッド読取部１２にて原稿の画像を読み取る際には、紙面左右方向（副走査方向）に移動しながら画像を読み込む。また、画像撮像素子１６は、自動搬送読取部１３にて画像を読み取る際には、自動搬送読取部１３の直下に静止した状態で、ＡＤＦ１４によって搬送経路Ｌを搬送されてきた原稿の画像を読み込む。
【００２７】
また、図１中、操作部３０はユーザからの各種設定又は入力を受け付ける受付手段である。表示器４０は情報を表示する表示手段であり、この表示器４０は操作部３０と共に画像形成装置１の筐体外面に設けられる。この表示器４０は、ＬＣＤ等の表示パネルにて構成された表示部４１（図３参照）、表示部４１を当該表示部４１の重心位置を中心として回転可能に支持する回転軸４２（図５参照）、及び表示部４１（回転軸４２）の回転角度を検出する角度検出器４３等から構成されている。
【００２８】
なお、角度検出器４３は、図５に示すように、発光素子４３Ａ、受光素子４３Ｂ、及び発光素子４３Ａから受光素子４３Ｂに至る光路を遮る場合と開放する場合とを回転軸４２の回転と連動して切り換える回転スリット４３Ｃ等からなる光学式のロータリエンコーダにて構成されている。因みに、固定スリット４３Ｄは、画像形成装置１の筐体等に固定されて発光素子４３Ａから出射された光をビーム状にする穴である。
【００２９】
そして、表示部４１の周りには、図３に示すように、ユーザが表示部４１を回転操作するための操作部４１Ａが設けられており、ユーザが操作部４１Ａを押しながら回転させることにより、表示部４１を左右いずれの向きにも容易に回転させることができる。
【００３０】
また、表示器４０には、図４に示すように、表示部４１の回転角度が所定角度となったときに、表示部４１の回転が一時停止するように表示部４１の回転を調整する調整部４４が設けられている。
【００３１】
調整部４４は、回転軸４２と一体的に回転する回転板４４Ａ、及び回転板４４Ａが回転する円盤状の空間４４Ｂが形成された固定プレート４４Ｃを有して構成されている。そして、回転板４４Ａの外周部には突起４４Ｄが設けられ、一方、固定プレート４４Ｃの内周部には、突起部４４Ｄが嵌り込む凹部４４Ｅが円周状に所定間隔（本実施形態では、９０度間隔）で設けられている。
【００３２】
このため、固定プレート４４Ｃの空間４４Ｂ内で回転板４４Ａが回転し、突起部４４Ｄが凹部４４Ｅに嵌り込むと、突起部４４Ｄと凹部４４Ｅとが僅かに係合するので、表示部４１の回転が一時停止するような操作感（抵抗感）をユーザが感じる。
【００３３】
因みに、本実施形態では、突起部４４Ｄ及び凹部４４Ｅを、角が取れた滑らかな突起部又は凹部とすることにより、必要以上に表示部４１の回転が一時停止してしまうことを防止している。
【００３４】
そして、画像読取部１０及び画像形成部２０等は、図１に示すように、制御部５０により制御される。なお、制御部５０は、ＣＰＵ、ＲＡＭ及びＲＯＭ等からなる周知のマイクロコンピュータにて構成されており、制御部５０は、ＲＯＭ等の不揮発性記憶手段に記憶されているプログラムに従って画像読取部１０及び画像形成部２０等を制御する。
【００３５】
３．読取データの加工処理
本実施形態に係る画像形成装置１は、画像読取部１０にて読み取られた読取データを表示部４１に表示するとともに、ユーザが表示部４１を回転させた場合には、その回転角度に応じて読取データを回転処理した後、加工後の読取データを画像形成装置１に接続されたコンピュータ（図示せず。）や画像形成装置１が有するメモリに出力する、又は用紙に印刷することを特徴としている。
【００３６】
なお、図７（ａ）は、読取データを回転加工せずにそのまま出力した例を示しており、図７（ｂ）は、読取データを９０度回転加工した後、画像形成部２０等に出力した例を示している。
【００３７】
以下、上記の作動を図６に示すフローチャートに従って説明する。
図６に示すフローチャートは、操作部３０（図１参照）に設けられた画像の読み取りを開始させるためのスタートボタン（図示せず。）がユーザにより操作されたときに起動する制御部５０による制御である。この制御が起動すると、原稿の読取が開始され、読み取られた読取データが制御部５０のＲＡＭ等の記憶手段に記憶される（Ｓ１）。
【００３８】
原稿の読取が完了すると（Ｓ１）、図７（ａ）に示すように、その読み取られた読取データが表示部４１に表示された後（Ｓ５）、角度検出器４３の検出信号に基づいて表示部４１が回転したか否かが判定される（Ｓ１０）。
【００３９】
そして、表示部４１が回転したと判定された場合には（Ｓ１０：ＹＥＳ）、図７（ｂ）に示すように、角度検出器４３にて検出された回転角度（以下、検出角度という。）に応じて読取データが回転処理された後（Ｓ１５）、その回転処理された読取データが出力される（Ｓ２０）。
【００４０】
なお、表示部４１が回転していないと判定された場合には（Ｓ１０：ＮＯ）、図７（ａ）に示すように、回転処理されることなく、読取データが出力される（Ｓ２０）。
４．本実施形態に係る画像形成装置の特徴
本実施形態では、読取データを表示する表示部４１をユーザが回転させることにより、読取データを回転させることができるので、ユーザが読取データを直感的に回転させることができる。
【００４１】
また、表示部４１の回転角度が所定角度となったときに、表示部４１の回転が一時停止するように表示部４１の回転を調整する調整部４４を備えているので、表示部４１を回転させる際に、表示部４１を所定の回転角度で容易に停止させることができ、表示部４１を回転させる際の操作性を向上させることができる。
【００４２】
５．発明特定事項と実施形態との対応関係
本実施形態では、画像読取部１０が特許請求の範囲に記載された読取手段に相当し、表示器４０が特許請求の範囲に記載された表示手段に相当し、Ｓ１５が特許請求の範囲に記載された第１加工手段に相当する。
【００４３】
（第２実施形態）
本実施形態は、画像読取部１０の読み取りモードとして、詳細読取モード及び簡易読取モードを設けるとともに、表示部４１に表示するための読取データを簡易読取モードにて読み取り、画像形成部２０又はコンピュータ等への出力には、詳細読取モードにて読み取った読取データを用いるものである。
【００４４】
なお、詳細読取モードとは、回転処理用の読取データや実際に出力される読取データの読み取りに用いられる読取モードであり、通常、６００ｄｐｉ以上の解像度で画像を読み取る。また、簡易読取モードは、詳細読取モード時の解像度より低い解像度で画像を読み取る読取モードである。
【００４５】
１．読取データの加工処理
図８は本実施形態における読取データの加工処理を示すフローチャートであり、以下、図８に基づいて、読取データの加工処理を説明する。
【００４６】
図８に示すフローチャートは、操作部３０（図１参照）に設けられた画像の読み取りを開始させるためのスタートボタンがユーザにより操作されたときに起動する制御部５０による制御である。この制御が起動すると、簡易読取モードにて原稿の読取が開始され、読み取られた読取データが制御部５０のＲＡＭ等の記憶手段に記憶される（Ｓ３０）。
【００４７】
原稿の読取が完了すると（Ｓ３０）、その読み取られた読取データが表示部４１に表示された後（Ｓ３５）、簡易読取モードにて読み取られた読取データが表示部４１に表示された状態で詳細読取モードにて、読み取りが再度、実行され、読み取られた読取データが制御部５０のＲＡＭ等の記憶手段に記憶される（Ｓ４０）。
【００４８】
次に、角度検出器４３の検出信号に基づいて表示部４１が回転したか否かが判定され（Ｓ４５）、表示部４１が回転したと判定された場合には（Ｓ４５：ＹＥＳ）、図７（ｂ）に示すように、検出角度に応じて詳細読取モードにて読み取られた読取データが回転処理された後（Ｓ５０）、その回転処理された読取データが出力される（Ｓ５５）。
【００４９】
なお、表示部４１が回転していないと判定された場合には（Ｓ４５：ＮＯ）、図７（ａ）に示すように、回転処理されることなく、読取データが出力される（Ｓ５５）。
２．本実施形態に係る画像形成装置の特徴
本実施形態では、簡易読取モードにて読み取られた読取データを用いて表示部４１に読取データを表示するので、詳細読取モードにて読み取られた読取データを表示させる場合に比べて、読取データを表示させるに要する時間を短縮することができる。
【００５０】
３．発明特定事項と実施形態との対応関係
本実施形態では、Ｓ５０が特許請求の範囲に記載された第１加工手段に相当する。
（第３実施形態）
本実施形態は、予めユーザにより入力（設定）された読取対象の原稿サイズと出力（印刷）時の用紙サイズとが相違している場合に、読取データ（読取原稿）のサイズを、予め設定された出力サイズに自動的に拡大又は縮小して読取データを出力（印刷）するものである。なお、読取原稿のサイズ及び出力用紙サイズの指定は、ユーザによって操作部３０及び表示器４０が操作されることにより、行うことができる。
【００５１】
因みに、図９（ａ）は、原稿サイズ及び出力時の用紙サイズを設定するための設定画面の一例を示す図であり、この設定画面は、本実施形態では表示部４１に表示される。また、図９（ｂ）は加工処理による処理結果を示す図である。
【００５２】
１．読取データの加工処理
図１０は本実施形態における読取データの加工処理を示すフローチャートであり、以下、図１０に基づいて、読取データの加工処理を説明する。
【００５３】
図１０に示すフローチャートは、ユーザによる操作部３０及び表示器４０等（図１参照）の操作により読取原稿のサイズ及び出力用紙サイズが指定され、操作部３０に設けられた画像の読み取りを開始させるためのスタートボタンがユーザにより操作されたときに起動する制御部５０による制御である。この制御が起動すると、設定画面上で指定された原稿サイズが取得され（Ｓ６０）、詳細読取モードにて原稿の読取が開始され、読み取られた読取データが制御部５０のＲＡＭ等の記憶手段に記憶される（Ｓ６５）。
【００５４】
そして、原稿の読取が完了すると（Ｓ６５）、その読み取られた読取データが表示部４１に表示された後（Ｓ７０）、角度検出器４３の検出信号に基づいて表示部４１が回転したか否かが判定される（Ｓ７５）。
【００５５】
このとき、表示部４１が回転したと判定された場合には（Ｓ７５：ＹＥＳ）、検出角度に応じて読み取られた読取データが回転処理された後（Ｓ８０）、設定画面で指定された出力時の用紙サイズが取得される（Ｓ８５）。
【００５６】
一方、表示部４１が回転していないと判定された場合には（Ｓ７５：ＮＯ）、回転処理されることなく、設定画面で指定された出力時の用紙サイズが取得される（Ｓ８５）。
次に、図９（ｂ）に示すように、回転処理された読取データ又は回転処理がされていない読取データが、出力時の用紙サイズに合致するように拡大又は縮小された後（Ｓ９０）、読取データが出力される（Ｓ９５）。
【００５７】
２．本実施形態に係る画像形成装置の特徴
本実施形態では、予めユーザにより入力（設定）された読取対象の原稿サイズと出力（印刷）時の用紙サイズとが相違している場合に、読取データ（読取原稿）のサイズを自動的に拡大又は縮小して読取データを出力時の用紙サイズに合致させて出力（印刷）するので、画像形成装置１の利便性を向上させることができる。
【００５８】
３．発明特定事項と実施形態との対応関係
本実施形態では、Ｓ８０が特許請求の範囲に記載された第１加工手段に相当する。
（第４実施形態）
本実施形態は、フラットベッド読取部１２（図２参照）を用いて画像読取を行う場合には、簡易読取モードにて読み取った読取データを表示部４１に表示し、ＡＤＦ１４（図２参照）を用いて自動読取を行う場合には、簡易読取モードを実行せず、詳細読取モードにて読み取った読取データを表示部４１に表示するものである。
【００５９】
１．読取データの加工処理
図１１は本実施形態における読取データの加工処理を示すフローチャートであり、以下、図１１に基づいて、読取データの加工処理を説明する。
【００６０】
図１１に示すフローチャートは、操作部３０に設けられた画像の読み取りを開始させるためのスタートボタンがユーザにより操作されたときに起動する制御部５０による制御である。この制御が起動すると、ＡＤＦ１４に原稿が載置されているか否かが判定される（Ｓ１００）。なお、ＡＤＦ１４には、原稿が載置されているか否かを検出するセンサ（図示せず。）が設けられており、Ｓ１００では、このセンサの検出信号に基づいて原稿の有無を判定する。
【００６１】
そして、ＡＤＦ１４に原稿が載置されていないと判定された場合には（Ｓ１００：ＮＯ）、フラットベッド読取部１２に原稿が載置されているものとみなし、簡易読取モードにて原稿の読取が開始され、読み取られた読取データが制御部５０のＲＡＭ等の記憶手段に記憶される（Ｓ１０５）。その後、記憶手段に記憶された読取データが表示部４１に表示される（Ｓ１１０）。
【００６２】
次に、簡易読取モードにて読み取られた読取データが表示部４１に表示された状態で詳細読取モードにて、読み取りが再度、実行され、読み取られた読取データが制御部５０のＲＡＭ等の記憶手段に記憶される（Ｓ１１５）。その後、角度検出器４３の検出信号に基づいて表示部４１が回転したか否かが判定される（Ｓ１２０）。
【００６３】
また、Ｓ１００にてＡＤＦ１４に原稿が載置されていると判定された場合には（Ｓ１００：ＹＥＳ）、詳細読取モードにて原稿の読取が開始され、読み取られた読取データが制御部５０のＲＡＭ等の記憶手段に記憶される（Ｓ１２５）。その後、記憶手段に記憶された読取データが表示部４１に表示された後（Ｓ１３０）、角度検出器４３の検出信号に基づいて表示部４１が回転したか否かが判定される（Ｓ１２０）。
【００６４】
そして、表示部４１が回転したと判定された場合には（Ｓ１２０：ＹＥＳ）、検出角度に応じて読取データが回転処理された後（Ｓ１３５）、その回転処理された読取データが出力される（Ｓ１４０）。
【００６５】
なお、表示部４１が回転していないと判定された場合には（Ｓ１２０：ＮＯ）、回転処理されることなく、読取データが出力される（Ｓ１４０）。
２．本実施形態に係る画像形成装置の特徴
原稿の読取形態としては、周知のごとく、ＡＤＦ１４にて読み取りを行う形態と、フラットベッド機能にて読み取りを行う形態とがある。
【００６６】
このとき、フラットベッド方式では、繰り返して読取動作を実行しても、フラットベッド読取部１２（プラテン１１）に対する原稿の相対位置は変わらないのに対して、ＡＤＦ１４を用いた読取形態では、自動搬送読取部１３に対する原稿の相対位置が読取動作を実行する度に相違する可能性が非常に高い。
【００６７】
したがって、簡易読取モードで読み取られて表示された読取データに基づいて、読取データを回転させる際の回転角度を決定しても、次回、詳細読取モードで原稿読取を実行する際に、読取部に対する原稿の相対位置が簡易読取モードにて原稿読取を実行したときと相違してしまうので、読取データをユーザが意図した位置に回転させることができないおそれが高い。
【００６８】
これに対して、本実施形態では、ＡＤＦ１４にて画像の読み取りを実行する場合には、詳細読取モードにて読み取られた読取データを用いて表示を行うので、読取データを確実にユーザが意図した位置に回転させることができる。
【００６９】
３．発明特定事項と実施形態との対応関係
本実施形態では、Ｓ１３５が特許請求の範囲に記載された第１加工手段に相当する。
（第５実施形態）
本実施形態は、角度検出器４３が検出した検出角度を他の読取データの回転処理にて利用可能としたものである。
【００７０】
１．読取データの加工処理
図１２は本実施形態における読取データの加工処理を示すフローチャートであり、以下、ＡＤＦ１４にて原稿を読み取る場合を例に、図１２に従って読取データの加工処理を説明する。
【００７１】
図１２に示すフローチャートは、ユーザによる操作部３０及び表示器４０等（図１参照）の操作により予め読取用原稿の枚数をユーザが設定（入力）した状態で、操作部３０に設けられた画像の読み取りを開始させるためのスタートボタンがユーザにより操作されたときに起動する制御部５０による制御である。この制御が起動すると、原稿の読取が詳細読取モードにて開始され、読み取られた読取データが制御部５０のＲＡＭ等の記憶手段に記憶される（Ｓ１５０）。
【００７２】
そして、原稿の読取が完了すると（Ｓ１５０）、その読み取られた読取データが表示部４１に表示された後（Ｓ１５５）、角度検出器４３の検出信号に基づいて表示部４１が回転したか否かが判定される（Ｓ１６０）。
【００７３】
このとき、表示部４１が回転したと判定された場合には（Ｓ１６０：ＹＥＳ）、検出角度に応じて読み取られた読取データが回転処理された後（Ｓ１６５）、読取データが出力され（Ｓ１７０）、一方、表示部４１が回転していないと判定された場合には（Ｓ１６０：ＮＯ）、読取データが回転処理されることなく、読取データが出力される（Ｓ１７０）。
【００７４】
次に、図１３に示すようなメッセージが表示部４１に表示されて、残りの原稿に対してもＳ１６５にて用いた検出角度を利用して回転処理を実行するか否かがユーザに対して問い合わせられる（Ｓ１７５）。
【００７５】
そして、利用する旨の入力がユーザによりされた場合には（Ｓ１７５：ＹＥＳ）、Ｓ１６５にて用いた検出角度が制御部５０のＲＡＭ等の記憶手段の特定アドレスに記憶された後（Ｓ１８０）、次の原稿の画像が読み取られる（Ｓ１８５）。一方、利用しない旨の入力がユーザによりされた場合には（Ｓ１７５：ＮＯ）、Ｓ１６５にて用いた検出角度が記憶されることなく、次の原稿の画像が読み取られ、読み取られた読取データが制御部５０のＲＡＭ等の記憶手段に記憶される（Ｓ１８５）。
【００７６】
次に、前記の特定アドレスに回転角度が保存されているか否かが判定され（Ｓ１９０）、回転角度が保存されていると判定された場合には（Ｓ１９０：ＹＥＳ）、その保存されている回転角度に応じて読み取られた読取データが回転処理された後（Ｓ１９５）、読取データが出力される（Ｓ２００）。
【００７７】
一方、前記の特定アドレスに回転角度が保存されていないと判定された場合には（Ｓ１９０：ＮＯ）、Ｓ１８５にて読み取られた読取データが表示部４１に表示された後（Ｓ２０５）、角度検出器４３の検出信号に基づいて表示部４１が回転したか否かが判定される（Ｓ２１０）。
【００７８】
このとき、表示部４１が回転したと判定された場合には（Ｓ２１０：ＹＥＳ）、検出角度に応じて読み取られた読取データが回転処理された後（Ｓ２１５）、読取データが出力され（Ｓ２００）、一方、表示部４１が回転していないと判定された場合には（Ｓ２１０：ＮＯ）、読取データが回転処理されることなく、読取データが出力される（Ｓ２００）。
【００７９】
次に、全ての原稿について読み取りが終了したか否かが判定され（Ｓ２２０）、終了していないと判定された場合には（Ｓ２２０：ＮＯ）、Ｓ１８５が再び実行され、一方、終了したと判定された場合には（Ｓ２２０：ＹＥＳ）、本制御が終了する。
【００８０】
２．本実施形態に係る画像形成装置の特徴
本実施形態では、初回の回転角度（検出角度）を、次回以降の残りの原稿に対して適用することができるので、原稿読取を実行する度に表示部を回転させる必要がなく、画像読取装置の利便性を向上させることができる。
【００８１】
３．発明特定事項と実施形態との対応関係
本実施形態では、Ｓ１７０及びＳ２１５が特許請求の範囲に記載された第１加工手段に相当し、Ｓ１９５が特許請求の範囲に記載された第２加工手段に相当し、Ｓ１８０が特許請求の範囲に記載された記憶手段に相当し、Ｓ１９０が特許請求の範囲に記載された選択手段に相当する。
【００８２】
（第６実施形態）
本実施形態は、第５実施形態の変形例である。具体的には、第５実施形態では、ＲＡＭ等に記憶された回転角度は、予めユーザにより設定された読み取り原稿枚数に対してのみ適用されるのに対して、本実施形態は、ＲＡＭ等に回転角度が記憶された場合には、それ以降は、原則として、記憶された回転角度にて自動的に回転処理が実行されるものである。
【００８３】
１．読取データの加工処理
図１４は本実施形態における読取データの加工処理を示すフローチャートであり、以下、図１４に従って読取データの加工処理を説明する。
【００８４】
図１４に示すフローチャートは、操作部３０（図１参照）に設けられた画像の読み取りを開始させるためのスタートボタンがユーザにより操作されたときに起動する制御部５０による制御である。この制御が起動すると、原稿の読取が詳細読取モードにて開始され、読み取られた読取データが制御部５０のＲＡＭ等の記憶手段に記憶される（Ｓ２３０）。
【００８５】
そして、原稿の読取が完了すると（Ｓ２３０）、ＲＡＭ等の記憶手段の特定アドレスに回転角度（以下、この回転角度を角度較正情報と呼ぶ。）が記憶されているか否かが判定される（Ｓ２３５）。
【００８６】
このとき、角度較正情報が記憶されていると判定された場合には（Ｓ２３５：ＹＥＳ）、その記憶されている角度較正情報にてＳ２３０にて読み込まれた読取データが回転処理され（Ｓ２４０）、回転処理された読取データが表示部４１に表示される（Ｓ２４５）。
【００８７】
一方、角度較正情報が記憶されていないと判定された場合には（Ｓ２３５：ＮＯ）、回転処理されることなく、Ｓ２３０で読み込まれた読取データが表示部４１に表示される（Ｓ２４５）。
【００８８】
次に、角度検出器４３の検出信号に基づいて表示部４１が回転したか否かが判定され（Ｓ２５０）、表示部４１が回転したと判定された場合には（Ｓ２５０：ＹＥＳ）、検出角度に応じて読み取られた読取データが回転処理された後（Ｓ２５５）、Ｓ２５５で回転処理に用いられた検出角度（回転角度）を角度較正情報として今後も利用するか否かがユーザに対して問い合わせられる（Ｓ２６０）。
【００８９】
そして、検出角度（回転角度）を角度較正情報として今後も利用する旨の入力が操作部３０等を介してユーザによりされた場合には（Ｓ２６０：ＹＥＳ）、検出角度（回転角度）を角度較正情報として上記の特定のアドレスに記憶された後（Ｓ２６５）、回転処理後の読取データが出力される（Ｓ２７０）。
【００９０】
一方、検出角度を角度較正情報として今後は利用しない旨の入力がユーザによりされた場合（Ｓ２６０：ＮＯ）、又は表示部４１が回転していないと判定された場合には（Ｓ２５０：ＮＯ）、読取データが回転処理されることなく、読取データが出力される（Ｓ２７０）。
【００９１】
２．本実施形態に係る画像形成装置の特徴
本実施形態では、角度較正情報に基づいて回転された読取データを表示部４１に表示するので、角度較正情報に基づいて回転された読取データをユーザが視認することができる。
【００９２】
なお、図１５は本実施形態の出力例を示しており、図１５に示すように、角度較正情報に基づいて読取データを較正（補正）すれば、常に、読取データを良好なものとすることができる。
【００９３】
３．発明特定事項と実施形態との対応関係
本実施形態では、Ｓ２６５が特許請求の範囲に記載された第１加工手段に相当し、Ｓ２４０が特許請求の範囲に記載された第２加工手段に相当し、Ｓ２６５が特許請求の範囲に記載された記憶手段に相当し、Ｓ２６０が特許請求の範囲に記載された選択手段に相当する。
【００９４】
（第７実施形態）
本実施形態は、図１６に示すように、所定種類の原稿についての読取データに含まれる画像の並びの方向が、その所定種類の原稿について予め設定されている並びの方向となるように、読取データを矯正回転させるものである。
【００９５】
つまり、例えば封筒を原稿として読み取りを実行した場合において、原稿に記載されている文字列の並びの方向は、通常、縦方向である必要がある。そこで、本実施形態では、封筒が横に載置された状態で読み取りが実行された場合には、文字列の並びの方向が縦方向となるように自動的に矯正するものである。
【００９６】
１．読取データの加工処理
図１７は本実施形態における読取データの加工処理を示すフローチャートであり、図１７に示すフローチャートに従って、本実施形態における読取データの加工処理を説明する。
【００９７】
なお、図１７では、制御作動の理解を容易にするため、予めユーザにより原稿サイズや原稿の種類が設定（入力）されており、画像形成装置１は、予め設定された原稿サイズや原稿の種類に基づいて、その原稿についての読取データに含まれる画像の並びの方向を決定するものとする。
【００９８】
図１７に示すフローチャートは、ユーザによる操作部３０及び表示器４０等（図１参照）の操作により予め設定された原稿サイズや原稿の種類が設定された状態で、操作部３０に設けられた画像の読み取りを開始させるためのスタートボタンがユーザにより操作されたときに起動する制御部５０による制御である。この制御が起動すると、予め設定された原稿サイズや原稿の種類が取得された後（Ｓ２８０）、詳細読取モードにて原稿の読取が開始され、読み取られた読取データが制御部５０のＲＡＭ等の記憶手段に記憶される（Ｓ２８５）。
【００９９】
原稿の読取が完了すると（Ｓ２８５）、その読み取られた読取データが表示部４１に表示された後（Ｓ２９０）、その読取データに含まれる文字等の画像についての並びの方向が予め設定されているか否か判定される（Ｓ２９５）。
【０１００】
そして、並びの方向が予め設定されていると判定された場合には（Ｓ２９５：ＹＥＳ）、予め設定されている並びの方向に矯正するか否かがユーザに対して問い合わせられ（Ｓ３００）、矯正する旨の指示がユーザによりされた場合には（Ｓ３００：ＹＥＳ）、予め設定されている並びの方向に矯正回転処理された後（Ｓ３０５）、その矯正された読取データが出力される（Ｓ３１０）。
【０１０１】
一方、矯正しない旨の指示がユーザによりされた場合（Ｓ３００：ＮＯ）、又は並びの方向が予め設定されていないと判定された場合には（Ｓ２９５：ＮＯ）、角度検出器４３の検出信号に基づいて表示部４１が回転したか否かが判定される（Ｓ３１５）。
【０１０２】
そして、表示部４１が回転したと判定された場合には（Ｓ３１５：ＹＥＳ）、検出角度に応じて読取データが回転処理された後（Ｓ３２０）、その回転処理された読取データが出力される（Ｓ３１０）。
【０１０３】
なお、表示部４１が回転していないと判定された場合には（Ｓ３１５：ＮＯ）、回転処理されることなく、読取データが出力される（Ｓ３１０）。
２．本実施形態に係る画像形成装置の特徴
本実施形態では、所定種類の原稿についての画像の並びの方向が予め設定されている場合には、原稿読取を実行する度に表示部を回転させることなく、その設定されている並びの方向に矯正回転されるので、画像読取装置の利便性を向上させることができる。
【０１０４】
なお、本実施形態では、予め設定された原稿サイズや原稿の種類に基づいて、その原稿についての読取データに含まれる画像の並びの方向を決定（判定）したが、本実施形態はこれに限定されるものではなく、例えばＯＣＲ機能により文字の記載方向を解析し、この解析結果に基づいて、本来あるべき読取データに含まれる画像（文字）の並びの方向を自動判定してもよい。
【０１０５】
３．発明特定事項と実施形態との対応関係
本実施形態では、Ｓ３２０が特許請求の範囲に記載された第１加工手段に相当し、Ｓ３０５が特許請求の範囲に記載された矯正手段に相当する。
【０１０６】
（第８実施形態）
上述の実施形態では、原稿の読み取りを実行した後、表示部４１が回転しているか否かを判定して回転処理を実行したが、本実施形態は、これとは逆に、表示部４１が回転しているか否かを判定した後、原稿の読み取りを実行するものである。
【０１０７】
１．読取データの加工処理
図１８は本実施形態における読取データの加工処理を示すフローチャートであり、図１８に示すフローチャートに従って、本実施形態における読取データの加工処理を説明する。
【０１０８】
図１８に示すフローチャートは、操作部３０に設けられた画像の読み取りを開始させるためのスタートボタンがユーザにより操作されたときに起動する制御部５０による制御である。この制御が起動すると、ユーザによるスタートボタン押下後、所定時間内に角度検出器４３の検出信号に基づいて表示部４１が回転したか否かが判定される（Ｓ３２０）。
【０１０９】
そして、所定時間内に表示部４１が回転したと判定された場合には（Ｓ３２０：ＹＥＳ）、検出角度がＲＡＭ等の記憶手段の特定のアドレスに記憶された後（Ｓ３２５）、原稿の読取が開始され、読み取られた読取データが制御部５０のＲＡＭ等の記憶手段に記憶される（Ｓ３３０）。一方、所定時間内に表示部４１が回転していないと判定された場合には（Ｓ３２０：ＮＯ）、検出角度が記憶されることなく、原稿の読取が開始される（Ｓ３３０）。
【０１１０】
次に、上記の特定アドレスに検出角度（回転角度）が記憶されているか否かが判定され（Ｓ３３５）、検出角度（回転角度）が記憶されていると判定された場合には（Ｓ３３５：ＹＥＳ）、記憶されている検出角度に応じて読取データが回転処理された後（Ｓ３４０）、その回転処理された読取データが出力される（Ｓ３４５）。
【０１１１】
一方、検出角度（回転角度）が記憶されていないと判定された場合には（Ｓ３３５：ＮＯ）、回転処理されることなく、読取データが出力される（Ｓ３４５）。
２．発明特定事項と実施形態との対応関係
本実施形態では、Ｓ３４０が特許請求の範囲に記載された第１加工手段に相当する。
【０１１２】
（第９実施形態）
上述の第６実施形態では、原稿を読み取って読み取った読取データを出力する処理が実行される際に、併せて読取データの角度を較正する処理が実行されるものであったが、本実施形態は、読取データの角度を較正する目的専用の較正モードを設け、通常の原稿を読み取って出力するモードのときに較正モードにて較正された角度を適用させるものである。
【０１１３】
具体的には、ユーザによる操作部３０及び表示器４０等（図１参照）の操作により較正モードが設定された状態で、画像の読み取りを開始させるためのスタートボタンがユーザにより操作されたときに、制御部５０による較正モード時の制御が起動する。較正モードでは読取データを処理する必要はないので、この制御のフローチャートは、図１４に示すＳ２５５及びＳ２７０を除いたフローチャートとなる。
【０１１４】
すなわち、先ず、原稿の読取が開始され、読み取られた読取データが制御部５０のＲＡＭ等の記憶手段に記憶される（Ｓ２３０）。
そして、原稿の読取が完了すると（Ｓ２３０）、ＲＡＭ等の記憶手段に角度較正情報が記憶されているか否かが判定される（Ｓ２３５）。
【０１１５】
このとき、角度較正情報が記憶されていると判定された場合には（Ｓ２３５：ＹＥＳ）、記憶手段に記憶された読取データが角度較正情報に対応して回転処理され（Ｓ２４０）、図１５の較正前の図に示すように、回転処理された読取データが表示部４１に表示される（Ｓ２４５）。
【０１１６】
一方、角度較正情報が記憶されていないと判定された場合には（Ｓ２３５：ＮＯ）、回転処理されることなく、図１５の較正前の図に示すように、Ｓ２３０で読み込まれた読取データが表示部４１に表示される（Ｓ２４５）。なお、較正モードでは読取データは表示部４１への表示に使用されるのみなので、原稿の読取は簡易読取モードで行われたほうがＳ２４０での読取データの回転処理やＳ２４５での読取データの表示処理を効率よく実行することができる。
【０１１７】
次に、角度検出器４３の検出信号に基づいて表示部４１が回転したか否かが判定される（Ｓ２５０）。表示部４１が回転したと判定された場合には（Ｓ２５０：ＹＥＳ）、図１５の右上の図に示すように、ユーザが図１５の較正前の図に示す読取データの角度に納得いかず、読取データの角度を較正するために表示部４１を回転させたものとみなし、回転処理に用いられた検出角度（回転角度）を角度較正情報として今後も利用するか否かがユーザに対して問い合わせられる（Ｓ２６０）。
【０１１８】
そして、検出角度（回転角度）を角度較正情報として今後も利用する旨の入力が操作部３０等を介してユーザによりされた場合には（Ｓ２６０：ＹＥＳ）、検出角度（回転角度）が角度較正情報として上記の特定のアドレスに記憶され（Ｓ２６５）、本処理が終了する。
【０１１９】
一方、検出角度を角度較正情報として今後は利用しない旨の入力がユーザによりされた場合（Ｓ２６０：ＮＯ）、又は表示部４１が回転していないと判定された場合には（Ｓ２５０：ＮＯ）、そのまま本処理が終了する。
【０１２０】
そして、通常の原稿読取モード時に読み取りを行って読取データを表示させる場合は、図１４に示すＳ２３０〜Ｓ２４５が実行されることとなり、読取データは、図１５の右下の図に示すように、表示部４１に表示されるようになる。
【０１２１】
（その他の実施形態）
上述の実施形態では、スキャナ機能とプリンタ機能とを備える画像形成装置に本発明は適用したが、本発明の適用はこれに限定されるものではなく、画像読取装置又は表示装置にも適用できる。
【０１２２】
また、上述の実施形態では、ＬＣＤ等の表示部４１を直接回転可能としたが、本発明はこれに限定されるものではなく、ＬＣＤ等の表示手段内に仮想の（ソフトウェア的な）表示部４１を表示し、この仮想の（ソフトウェア的な）表示部４１を回転可能としてもよい。
【０１２３】
また、上述の実施形態では、調整部４４の回転板４４Ａの外周部に突起部４４Ｄが設けられ、一方、固定プレート４４Ｃの内周部に突起部４４Ｄが嵌り込む凹部４４Ｅが設けられていたが、本発明はこれに限定されるものではなく、例えば回転板４４Ａの外周部に凹部を設け、固定プレート４４Ｃの内周部に突起部４４Ｄを設けてもよい。
【０１２４】
また、本発明は、特許請求の範囲に記載された発明の趣旨に合致するものであればよく、上述の実施形態に限定されるものではない。
【図面の簡単な説明】
【０１２５】
【図１】本発明の実施形態に係る画像形成装置１の構成を示すブロック図である。
【図２】本発明の実施形態に係る画像読取部１０の構造を示す断面図である。
【図３】本発明の実施形態に係る表示部４１を示す図である。
【図４】本発明の実施形態に係る調整部４４の構造を示す分解斜視図である。
【図５】本発明の実施形態に係る表示部４１の回転角度を検出する角度検出器４３の概念図である。
【図６】本発明の第１実施形態に係る読取データの加工処理を示すフローチャートである。
【図７】本発明の第１実施形態に係る加工処理による処理結果を示す図である。
【図８】本発明の第２実施形態に係る読取データの加工処理を示すフローチャートである。
【図９】（ａ）は、原稿サイズ及び出力時の用紙サイズを設定するための設定画面の一例を示す図であり、図９（ｂ）は加工処理による処理結果を示す図である。
【図１０】本発明の第３実施形態に係る読取データの加工処理を示すフローチャートである。
【図１１】本発明の第４実施形態に係る読取データの加工処理を示すフローチャートである。
【図１２】本発明の第５実施形態に係る読取データの加工処理を示すフローチャートである。
【図１３】表示部４１で表示されるメッセージの一例を示す図である。
【図１４】本発明の第６実施形態に係る読取データの加工処理を示すフローチャートである。
【図１５】本発明の第６実施形態の出力例を示す図ある。
【図１６】本発明の第７実施形態の概要を示す説明図ある。
【図１７】本発明の第７実施形態に係る読取データの加工処理を示すフローチャートである。
【図１８】本発明の第８実施形態に係る読取データの加工処理を示すフローチャートである。
【符号の説明】
【０１２６】
１…画像形成装置、１０…画像読取部、１１…プラテン、
１２…フラットベッド読取部、１３…自動搬送読取部、１６…画像撮像素子、
２０…画像形成部、３０…操作部、４０…表示器、４１…表示部、４１Ａ…操作部、
４２…回転軸、４３…角度検出器、４３Ａ…発光素子、４３Ｂ…受光素子、
４３Ｄ…固定スリット、４４…調整部、４４Ａ…回転板、４４Ｂ…空間、
４４Ｃ…固定プレート、４４Ｄ…突起部、４４Ｅ…凹部、
５０…制御部、４４Ｅ…凹部。
【図１】
0004518109.tif 000002
【図２】
0004518109.tif 000003
【図４】
0004518109.tif 000004
【図６】
0004518109.tif 000005
【図８】
0004518109.tif 000006
【図１０】
0004518109.tif 000007
【図１１】
0004518109.tif 000008
【図１２】
0004518109.tif 000009
【図１４】
0004518109.tif 000010
【図１７】
0004518109.tif 000011
【図１８】
0004518109.tif 000012
【図３】
0004518109.tif 000013
【図５】
0004518109.tif 000014
【図７】
0004518109.tif 000015
【図９】
0004518109.tif 000016
【図１３】
0004518109.tif 000017
【図１５】
0004518109.tif 000018
【図１６】
0004518109.tif 000019